(57)【特許請求の範囲】
【請求項１】
照明器具本体と、長尺のランプを支持するとともに該ランプの両端部の側面に設けられた端子を各々受容して電気的接続を行う一対のソケット部と、該一対のソケット部の各々を前記照明器具本体に固定するベース部とを備えた照明器具において、
前記照明器具本体には、前記ランプを収容する凹所が設けられ、
前記ソケット部は前記ベース部側に取付板を有し、該取付板は前記ベース部側に平行に延びた互いに対面して離隔した一対の板部からなる回動部を有し、
前記ベース部は基底板を有し、該基底板は前記ソケット部側に平行に延びて前記取付板の一対の板部に対応した互いに対面して離隔した他の一対の板部からなる他の回動部を有し、
前記ソケット部と前記ベース部は、前記両回動部を介して互いに回動自在に連結されており、前記ランプを前記凹所内の位置から該凹所から抜け出た位置まで移動可能とするよう、前記ソケット部の前記１対の板部が前記取付板の前記照明器具本体の凹所に近い一側縁側に偏倚して設けられていることを特徴とする照明器具。
【請求項２】
前記ベース部には前記ランプが回動して前記凹所から抜け出た際に前記ソケット部の取付板に当接して前記ランプの所定の角度以上の回動を阻止する停止板が形成されてなることを特徴とする請求項１記載の照明器具。
【請求項３】
前記１対の板部の少なくとも片側の板部に、回動方向に沿って配列された互いの相対角度を位置決めする複数の凹凸係合部が形成されていることを特徴とする請求項１または２記載の照明器具。
【請求項４】
前記凹凸係合部は、前記ソケット部または前記ベース部の何れか一方の前記板部に所定のピッチで円弧状に配列して形成された複数の係合穴と、他方の前記板部に前記係合穴に対応して形成された、前記係合穴に係合する突起とからなることを特徴とする請求項３記載の照明器具。
【請求項５】
前記ソケット部の前記ベース部側に向けて取り付けられた、前記回動部と同心状のギアと、前記ベース部に前記ギアと弾性的に噛み合うように設けられた係止部材とからなる、互いの相対角度を位置決めする凹凸係合部をさらに有することを特徴とする請求項１記載の照明器具。
【請求項６】
前記ソケット部が前記ベース部に対し回動する最大の中心角は、前記ランプが前記照明器具本体の前記凹所内に位置する０°から１８０°の範囲であることを特徴とする請求項１記載の照明器具。
【発明の詳細な説明】
【技術分野】
【０００１】
本発明は、陳列棚照明、室内照明等に使用される照明器具に関し、特に側面に端子を有する長尺のランプ用の照明器具に関するものである。
【背景技術】
【０００２】
従来、この種の照明器具として、蛍光灯を使用した照明器具が一般的に使用されている。例えば、両端部の側面の口金に端子を有する蛍光ランプと、この端子を受容して電気的接続をするソケット部と、このソケット部を照明器具本体に取り付けるためのベース部とを有する蛍光ランプ取付器具が知られている。（特許文献１）
この取付器具のソケット部は、その下部から上方に対となって延びる板ばね状の保持部材すなわちランプホルダーを有し、ベース部にコイルばね等の部材を介して僅かに揺動可能に取り付けられている。ランプの口金部分は、このランプホルダーによって保持される。また、この取付器具は、照明器具本体に固定され、ソケット部の揺動の程度は、ランプ取付時のランプとソケットとの僅かな角度のずれを補償する程度のものであり、ランプの位置は大きく移動せず基本的には同じ位置を維持している。
【特許文献１】特開2001-210135号公報
【発明の開示】
【発明が解決しようとする課題】
【０００３】
上述の特許文献１に開示された発明においては、通常、ランプは、照明器具のカバー（照明器具本体）から突出して露出した状態（特許文献１の図１５）で固定されている。照明器具を取り付けたときに、その照明されるべき対象との位置関係によっては、固定したランプでは最適な照明が得られない場合がある。そのため、照明器具を設置する際に、あるいは設置後に反射板を追加的に取り付けて適切な配光を得たり、照明器具を取り付けるときに、好ましい配光が得られる位置に取付位置を変えたりしている。
【０００４】
また、特許文献１に記載されているように、端子がランプの側面に設けられているため、ランプを脱着するときには、ランプを、照明器具本体が取り付けられている、例えば陳列棚の側壁の取付面に対して垂直な方向に移動させる必要がある。このとき、ランプの脱着方向に障害物があるときは、脱着が困難となる場合がある。
【０００５】
また、ランプのソケット部は、カバーを含む照明器具本体の高さ（厚み）から突出した状態に固定されているので、ランプを装着した照明器具を梱包する際、突出したランプが邪魔になったり、ランプが破損したりするおそれがある。また、照明器具からランプを取り外して梱包する場合でも、ソケット部のランプホルダーが突出しているため梱包に注意が必要であり、また手間もかかる。また、輸送の場合、あるいは取り扱いの際の衝撃により、ランプが破損したり、ランプホルダーが変形したりするおそれもある。
【０００６】
本発明は、以上の点に鑑みてなされたものであり、ランプの設置位置にあまり影響されず、最適な配光、照明を得ることができる照明器具を提供することを目的とする。
【０００７】
本発明の他の目的は、ランプの周囲に障害物があっても、ランプの脱着を容易に行うことができる照明器具を提供することにある。
【０００８】
本発明の別の目的は、梱包の簡略化ができ、搬送の際や取り扱いの際の衝撃によるランプの破損や、ホルダーの変形を防止できる照明器具を提供することにある。
【課題を解決するための手段】
【０００９】
本発明の照明器具は、照明器具本体と、長尺のランプを支持するとともにランプの両端部の側面に設けられた端子を各々受容して電気的接続を行うソケット部と、ソケット部を照明器具本体に各々固定するベース部とを備えた照明器具において、照明器具本体には、ランプを収容する凹所が設けられ、ソケット部とベース部は、ランプを凹所内の位置から凹所から抜け出た位置まで回動可能とする回動部を介して互いに連結されていることを特徴とするものである。
【００１０】
また、上記回動部は、ソケット部とベース部のそれぞれに設けられた、互いに回動する離隔した１対の板部を有するよう構成することができる。
【００１１】
また、この１対の板部の少なくとも片側の板部には、回動方向に沿って配列された互いの相対角度を位置決めする複数の凹凸係合部が形成されていてもよい。
【００１２】
また、この凹凸係合部は、ソケット部またはベース部の何れか一方の板部に所定のピッチで円弧状に配列して形成された複数の係合穴と、他方の板部に係合穴に対応して形成された、係合穴に係合する突起とからなるよう構成することができる。ここで係合穴とは、貫通孔の他、貫通していない凹みも含むものとする。また、隣接する係合穴が形成する中心角は、例えば３０°とすることができる。
【００１３】
回動部はベース部の一部となる回動軸を有し、ソケット部はベース部に対し、回動軸の軸線に沿って移動可能とするとともに、ベース部とソケット部の間に介装されたばね材により軸線に沿う一方向に弾性的に付勢され、ソケット部の板部の突起とベース部の板部の係合穴は、一方向にある両板部にそれぞれ設けられているよう構成することができる。
【００１４】
また、回動軸は両板部に外側から挿通されたボルトであり、ばね材はボルトの先端部に取付けられたナットと、ソケット部の板部との間で、ボルトに外装された圧縮コイルばねとすることができる。ここで、「外装」とは、（圧縮）コイルばね内にボルト（シャフト）が嵌入した状態をいうものであり、コイルばねが、ボルトの外表面に接触していても離隔していてもよい。
【００１５】
また、ソケット部に、ベース部側に向けて取り付けられた、回動部と同心状のギアと、ベース部に設けられた、ギアと弾性的に噛み合う係止部材とからなる互いの相対角度を位置決めする凹凸係合部をさらに有するよう構成してもよい。この係止部材は、板状のばね部材とすることができる。
【００１６】
また、ソケット部がベース部に対し回動する最大の中心角は、ランプが照明器具本体の凹所内に位置する０°から１８０°の範囲とすることができる。この中心角は、０°から９０°の範囲であることが好ましい。
【発明の効果】
【００１７】
本発明の照明器具は、ソケット部と、ソケット部を照明器具本体に固定するベース部とが、ランプを凹所内の位置から凹所から抜け出た位置まで回動可能とする回動部を介して互いに連結されているので、次の効果を奏する。すなわち、ランプを必要に応じて回動させてその位置を変えることができるので、ランプの設置位置にあまり影響されず、最適な配光、照明を得ることができる。また、ランプを回動させることができるので、ランプの周囲に障害物があっても、その障害物を避けた位置までランプを回動させて、ランプの脱着方向の向きを変えることにより、ランプの脱着を容易に行うことができる。さらに、照明器具の梱包や搬送を行う場合、ソケット部を照明器具本体の凹所内に位置させることにより、ランプやソケット部を照明器具本体から突出させずにすむので、梱包の簡略化ができ、また搬送の際や取り扱いの際の衝撃によるランプの破損や、ソケット部の変形を防止することができる
また、回動部が、ソケット部とベース部のそれぞれに設けられた互いに回動する離隔した１対の板部を有している場合は、簡単な構成で確実にソケット部を回動させることができる。
【００１８】
また、この１対の板部の少なくとも片側の板部に回動方向に沿って配列された互いの相対角度を位置決めする複数の凹凸係合部が形成されている場合は、上記効果の他、ランプを回動させて所望の設定された角度位置でランプを確実に保持することができるという効果を奏する。
【００１９】
また、この凹凸係合部が、一方の板部に所定のピッチで円弧状に配列して形成された複数の係合穴と、他方の板部に係合穴に対応して形成された突起とからなるよう構成されている場合は、係合穴と突起とを係合させるだけで、ランプを確実且つ容易に所望の角度位置に保持することができる。
【００２０】
また、ソケット部に取り付けられた、回動部と同心状のギアと、ベース部に設けられた、ギアと弾性的に噛み合う係止部材とからなる互いの相対角度を位置決めする凹凸係合部をさらに有する場合は、ギアの歯のピッチにより回動角度を細かく設定でき、一層好ましい配光を得ることができる。
【００２１】
また、ソケット部がベース部に対し回動する最大の中心角が、０°から１８０°の範囲である場合は、極めて広範囲に配光を調節することができるとともに、ランプの脱着の自由度が一層向上する。
【発明を実施するための最良の形態】
【００２２】
以下、本発明の照明器具について、添付図を参照して詳細に説明する。なお、説明にあたり、上下方向等方向に関する説明は、便宜上各図における方向をいうものとする。図１は、本発明の照明器具の第１の実施形態を示す斜視図である。以下、図１を参照して説明する。照明器具１は、概ね直方体形状の照明器具本体（以下、単に本体という）２と、この本体２の長手方向の両端部に取り付けられた取付具４とを有する。この取付具４により蛍光管等の長尺のランプ１００の両端部が保持される。
【００２３】
本体２は、例えば、金属板の打抜きおよび折曲げにより形成されるものであり、部屋の天井や陳列棚等の壁（図示せず）に取り付けられる。本体２は、天井等に取り付けられる底壁の主面６と、この主面６から上方に折返されたカバー８とを有する。カバー８は、主面６に直角に折り曲げられた立壁１０と、立壁１０からさらに主面６と略平行になるように折り曲げられた反射面１２を有する。反射面１２の長手方向両端部には、取付具４を露出させるための切欠１４が、反射面１２の側縁１２ａまで形成されている。反射面１２は、さらに主面６まで傾斜して折り曲げられた傾斜面１２ｃおよび垂直面１２ｄを経て、前述の側縁１２ａに沿って主面６と平行に折り曲げられた平坦部１２ｂに至る。この平坦部１２ｂは、主面６にスポット溶接、ねじ止め等の手段により固定される。
【００２４】
主面６の他方の側縁１６側は、主面６から直角に立壁１０と同じ方向に折り曲げられてリブ１８として形成される。ここで重要なことは、平坦部１２ｂが主面６に取り付けられる部分が、リブ１８との間にスペースを確保した位置であるということである。換言すると、照明器具１には、傾斜面１２ｃおよび垂直面１２ｄと、リブ１８との間に本体２の長手方向に沿う凹所２０が形成されている。この凹所２０は、ランプ１００が移動して収容される部分となる。収容される態様についての詳細は後述する。なお、本体２は金属板の他、合成樹脂で製造してもよい。
【００２５】
次に、ランプ１００について説明する。ランプ１００は、一般的に知られているものであり、その両端部の側面に口金１０２およびピン（端子）１０４（図６）を有する。以下、その概略を説明する。口金１０２は、直方体形状であり、その一面が凹面となってランプ１００の端部に当接した状態で固定されている。前述のピン１０４は、口金１０２の先端すなわち図１において下方から下向きに突出している。
【００２６】
次に、図２および図３を併せて参照して、本体２の主面６に取り付けられる取付具４について説明する。図２は、取付具４の全体を示す斜視図であり、図３は取付具４の部品の位置関係を示す斜視図である。図２に示すように、取付具４は、ランプ１００を保持するソケット部２２と、ソケット部を回動可能に支持するベース部２４とから構成されている。ソケット部２２は、直方体形状のソケット２６と、このソケット２６の下面に位置しソケット２６の両側縁側から上方に延出するホルダー部２８と、このホルダー部２８の下面に位置する矩形の絶縁板３０と、この絶縁板３０の下に位置する矩形の取付板３２とを有する。ソケット２６は、その上壁２６ａにランプ１００のピン１０４を受容する矩形の開口３４が形成されている。開口３４内にはピン１０４と電気的接続がなされる図示しない他方の雌端子が配置されている。また、ソケット２６の側壁には、雌端子に接続された電線（図示せず）が導出する２つの導出口３６が形成されている。
【００２７】
ホルダー部２８は、取付板３２と略同じ形状の板状の基材２８ａと、この基材２８ａの両側からランプ１００を支持するように立設された弾性を有する複数の舌片３８とを有する。これらの各舌片３８は、全体が互いに内側に傾斜していると共に、先端３８ａ近傍が内側に湾曲し、さらに先端３８ａが外側に向いている。前述のランプ１００の口金１０２は、これらの舌片３８により凹凸係合して保持される。基材２８ａおよび絶縁板３０には、後述する取付板３２と同様の複数の孔(図示せず)が穿設されている。
【００２８】
次に取付板３２とベース部２４について、図３を参照してさらに詳細に説明する。図３（ａ）は取付板３２の斜視図であり、図３（ｂ）はベース部２４の斜視図である。取付板３２は、矩形の平板３２ａと、この平板３２ａの、ランプ１００の長手方向に離隔した両端から直角に下方に折り曲げられたタブ（板部）４０とを有する。これらのタブ４０は、平板３２ａの一側縁側すなわち取付具４を本体２に取り付けたときに凹所２０に近い側に偏倚して形成されている。これによりソケット部２２を回動させたときに、ソケット部２２が本体２の主面６と干渉することが防止される。回動の態様については後述する。
【００２９】
平板３２ａには、ランプ１００の長手方向と直交する方向に互いに離隔した１対のねじ孔４２が形成されている。また、これらのねじ孔４２の並び方向と直交する方向に、互いに離隔した小孔４４、４６が穿設されている。また、前述の絶縁板３０と、ホルダー部２８の基材２８ａの、これらねじ孔４２および小孔４４、４６に対応する位置に、同様の孔が形成されている。ねじ孔４２は、図示しないねじを取付板３２の平板３２ａの下面３３側からソケット２６にねじ込むためのものである。このねじ込みにより、ソケット２６、ホルダー部２８、絶縁板３０および取付板３２が一体的に組み立てられてソケット部２２が構成される。また、小孔４４、４６は、これら小孔４４，４６に対応する位置にあるソケット２６の下面に形成されたボス(図示せず)が係入することによって、ソケット部２２を構成する各部材の互いの位置決めをするためのものである。小孔４４が小直径であり、小孔４６が小孔４４より大直径である理由は、対応するボスの直径の大小の違いにより、組み立ての際のソケット２６の向きを正しく組み付けるため、すなわち誤組付防止のためである。
【００３０】
また、前述のタブ４０の略中央には、軸孔４０ａが穿設されており、この軸孔４０ａの周囲には軸孔４０ａの中心(図示せず)と同心状に複数の突起４０ｂが所定のピッチ、すなわちこの実施形態では３０°毎に形成されている。突起４０ｂの並びのうち、両端に位置する２つの突起４０ｂは、軸孔４０ａの中心から水平な位置すなわち平板３２ａと平行な位置と、この位置から上方に９０°の角度の位置にそれぞれ位置する。なお、これらの突起４０ｂは、タブ４０の板面から外方に突出している。
【００３１】
次に、図３（ｂ）を参照して、ベース部２４について説明する。ベース部２４は、例えば金属板の打抜きおよび折曲げにより形成される。ベース部２４は、長方形の基底板４８と、この基底板４８の両端から直角に上方に折り曲げられたタブ５０と、基底板４８の側縁から直角に上方に折り曲げられた停止板５２とを有する。基底板４８には、取付具４を本体２の主面６に固定するための孔４８ａが穿設されている。この固定は、ねじ止めや加締等他の任意の方法で行われる。タブ５０は、タブ４０に対応して設けられ、各々タブ４０の外側に位置する。なお、タブ４０、５０を回動部という。タブ５０にも軸孔５０ａが形成され、さらに突起４０ｂに対応して複数の貫通した位置決め孔(係合穴)５０ｂが、軸孔５０ａと同心状に形成されている。位置決め孔５０ｂの並びのうち両端に位置する位置決め孔５０ｂは、軸孔５０ａの真下と真上にそれぞれ位置する。位置決め孔５０ｂは３０°毎に形成されているが、その形成された範囲は、タブ４０の突起４０ｂの場合の２倍の１８０°の範囲に亘っている。これによりどのような回動位置でも、常に複数の突起４０ｂと位置決め孔５０ｂとが互いに係合した状態となり、その回動位置が堅固に維持される。停止板５２は、取付板３２が回動したときに、平板３２ａの下面３３に停止板５２の先端５２ａが当接して、取付板３２のそれ以上の回動を阻止するためのものである。停止板５２の突出高さは、平板３２ａが停止板５２に当接したときに、平板３２ａを水平に維持できる寸法となっている。上記位置決め孔５０ｂは、貫通した孔であるが、突起４０ｂを受容する凹みであってもよい。
【００３２】
取付板３２とベース部２４を組み合わせて、軸孔４０ａと軸孔５０ａに図示しないねじを挿通してナットで係止し、あるいはフランジ付きのロッドを挿通してロッドの端部を加締める等の任意の手段により、ソケット部２２は、ベース部２４に対し、回動可能に保持される。各突起４０ｂは位置決め孔５０ｂに係入しているので、３０°毎にクリック感を伴って回動させることができる。なお、突起４０ｂと位置決め孔５０ｂを凹凸係合部という。
【００３３】
上述の記取付板３２とベース部２４の組合せの構成は、一例であって、上記構成に限定されるものではない。例えば、図１４にその変形例を示す。図１４（ａ）は、通常の使用状態の、取付板３３２とベース部３２４の関係を示す正面図、図１４（ｂ）はその側面図、図１４（ｃ）は、取付板３３２を回動させる際に取付板３３２を矢印方向に移動させた状態を示す正面図である。なお、図１４において、取付板３３２以外のソケット部の部品は図２に示す部品と同じなので省略してある。この変形例の取付板３３２とベース部３２４は、前述の取付板３２とベース部２４に類似しているので、ここでは相違点のみを説明する。
【００３４】
図１４（ａ）に示されるように、取付板３３２のタブ３４０は、ベース部３２４のタブ３５０の内側に位置し、タブ３４０、３５０同士がボルト３８２によって互いに回動可能に連結されている。なおボルト３８２は、ベース部３２４側の部材である。取付板３３２の互いに離隔した一対のタブ３４０、３４０の最外距離ｗ、すなわちタブ３４０の外面３４１、３４１間の距離は、ベース部３２４の互いに離隔したタブ３５０、３５０の内側距離Ｗ、すなわちタブ３５０の内面３５１、３５１間の距離より小さい。従って、片側でタブ３４０がタブ３５０に衝接した状態では、反対側においてタブ３４０とタブ３５０の間に間隙Ｇが形成される。このように、この変形例の最も大きな特徴は、取付板３３２が、ベース部３２４に対し、ボルト（軸）３８２の軸線に沿って移動可能に取付けられている点である。
【００３５】
タブ３４０、３５０同士が衝接した側のボルト３８２は、その先端部にナット３８３が螺合され、ボルト３８２には、ばね材すなわち圧縮コイルばね３８４が外装され、且つ圧縮コイルばね３８４は、ナット３８３とタブ３４０との間に介装されている。これによりタブ３４０は一方向に弾性的に付勢されて、常時、タブ３５０に衝接するようになっている。その時、他方の側のボルト３８２には、ナット３８３がタブ３４０の移動を阻止するようにボルト３８２に螺合されている。ここで、圧縮コイルばね３８４やボルト３８２も回動部の一部となる。また、この変形例にも前述の停止板５２と同様な停止板３５２が設けられている。
【００３６】
また、取付板３３２とベース部３２４の、側方から見た位置関係は図１４（ｂ）に実線で示すものとなる。この変形例では、一方向側のタブ３５０には４個の位置決め孔３５０ｂが形成され、タブ３４０には、これらの位置決め孔３５０ｂと係合する突起３４０ｂが形成されている。この変形例では、タブ３４０には、最上部の位置決め孔３５０ｂと係合している突起３４０ｂが１個形成されている。しかし、１個に限定されるものではなく、複数個設けてもよい。その場合、対応する位置決め孔３５０ｂの数を、増加させた突起３４０ｂの数だけ増加させる必要がある。また、一方向側と反対側のタブ３４０、３５０には、それぞれ突起、位置決め孔を設ける必要がない。
【００３７】
次に、図１４（ｃ）を参照して、取付板３３２を回動させる態様について説明する。取付板３３２を回動させるためには、まず図１４（ａ）（ｂ）に示す突起３４０ｂと位置決め孔３５０ｂとの係合状態を解除する必要がある。そのためには取付板３３２すなわち図１４に図示しないソケット部を、圧縮コイルばね３８４の弾性力に抗して、手で矢印３３３の方向に移動させ、突起３４０ｂを位置決め孔３５０ｂから抜去する。これにより図１４（ｂ）に仮想線で示すように、取付板３３２を回動させることが可能となる。任意の位置の位置決め孔３５０ｂに突起３４０ｂを位置合せさせたところで、ソケット部から手を離せば、取付板３３２は、圧縮コイルばね３８４の弾性力により元の状態に復帰し、突起３４０ｂは位置決め孔３５０ｂに係入され、この位置で取付板３３２は停止される。
【００３８】
図３に示す前述の実施形態では、タブ４０、５０の弾性変形によりソケット部２２の回動を可能としていたが、この変形例では、突起３４０ｂと位置決め孔３５０ｂの係合を積極的に解除するので、突起３４０ｂの突出量を間隙Ｇの寸法に収まる範囲内で延長して、突起３４０ｂと位置決め孔３５０ｂの係合領域を拡大することができる。これによりソケット部は、ベース部３２４に、９０°の範囲内の所望の角度で一層堅固に固定することができる。位置決め孔３５０ｂの数を増やせば、９０°を超える範囲まで回動させることが可能である。
【００３９】
次に図４および図５を参照して、このように構成された照明器具１において、ランプ１００を回動させた場合について説明する。図４は、ランプ１００を垂直位置から３０°傾斜させた状態を示す斜視図、図５はランプ１００を凹所２０内に収容した状態を示す斜視図である。なお、図４および図５では、ランプ１００の口金１０２の図示を省略している。図４に示すように、図１に示すランプ１００の垂直位置から３０°手前に傾斜させた位置すなわち水平位置から６０°の位置では、ランプ１００は、凹所２０から依然として外方に突出しているが、配光の向きは図１に示す場合とは異なる。図５に示すように取付具４のソケット部２２を９０°倒した位置、すなわち倒立状態の水平な０°の位置では、ランプ１００は凹所２０内に位置している。この０°の位置でもランプ１００を点灯できるので、さらに異なる配光が得られる。従って、０°から９０°の範囲で最も好ましい配光が得られる角度に設定することができる。
【００４０】
図５に示すように、ランプ１００が凹所２０内に収容された位置では、ランプ１００およびソケット部２２は、主面６からの高さが反射面１２より低くなっている。従って、梱包するのにソケット部２２を変形させたり、ランプ１００を破損させたりせずに容易に梱包することができる。このようにランプ１００の配光は、０°〜９０°の回動範囲で変えることができる。上記実施形態では３０°毎に位置決め孔５０ｂと突起４０ｂが互いに係合するように構成されているが、２０°あるいは１５°等の角度になるように、位置決め孔５０ｂと突起４０ｂの数を増大して形成してもよい。
【００４１】
次に、図６から図１３を参照して、本発明の第２の実施形態の照明器具２００(図１２、図１３)について説明する。なお、説明にあたり、第１の実施形態について参照した部品と同じ部品については、同一参照符号を用いて説明する。図６は、照明器具２００に使用されるランプ１００と、このランプ１００を支持するソケット部２２２と、ソケット部２２２が取り付けられるベース部２２４を示す。第２の実施形態の照明器具２００が、第１の実施形態の照明器具１と最も異なる点は、ギア２６０とこのギア２６０に係止する板ばね２７０との協働により、回動されたランプ１００が所定位置に停止される点である。すなわち、第１の実施形態の照明器具１とは、ソケット部２２２の取付板２３２と、ベース部２２４が相違する。他の部材すなわちホルダー部２２８、ソケット２２６、絶縁板２３０は、第１の実施形態の対応する部品と同様であるので、詳細な説明は省略する。なお、図中１０４で示す部分は、ソケット２２６に挿入された、ランプ１００のピン(端子)である。
【００４２】
次に、図７および図８を参照して、取付板２３２と、この取付板２３２に取り付けられるギア２６０について詳細に説明する。図７は、取付板２３２を示し、図７（ａ）は取付板２３２の平面図、図７（ｂ）は正面図、図７（ｃ）は側面図をそれぞれ示す。図８はギア２６０を示し、図８（ａ）はギア２６０の正面図、図８（ｂ）は側面図をそれぞれ示す。図７に示すように、取付板２３２の平板２３２ａは矩形形状であり、第１の実施形態の取付板３２と同様なねじ孔２４２と小孔２４４、２４６が形成されており、それらの機能も対応する部分と同じである。平板２３２ａの両端には、軸孔２４０ａを有するタブ(板部)２４０が、直角に下向きに折り曲げられている。平板２３２ａの下面２３３には、各タブ２４０から離隔した位置にボス２６２がそれぞれ突設されている。タブ２４０とボス２６２との間の距離は、後述するギア２６０の厚みより僅かに大きく設定されている。これらのボス２６２により、ギア２６０がその厚み方向にずれるのを阻止している。図７（ａ）において斜線で示す矩形の部分２６６は、ギア２６０が配置される下面２３３の部分を示す。なお、ボス２６２は金属製の平板２３２ａの突出しにより形成してもよいし、他の部材を追加的に平板２３２ａに取り付けてもよい。
【００４３】
次に、図８を参照してギア２６０について説明する。ギア２６０は、取付板２３２の下面２３３に位置する平坦な上面２６０ａと、上面２６０ａと直角の両側面２６０ｂと、この側面２６０ｂの下方に円弧状に形成された複数の歯２６４を有する。ギア２６０には軸孔２６０ｃが形成されており、前述の歯２６４は、軸孔２６０ｃと同心の円に沿って形成されている。このギア２６０は、上面２６０ａを取付板２３２の平板２３２ａの下面２３３に向けて部分２６６に配置される。ギア２６０が取付板２３２に取り付けられる態様については後述する。
【００４４】
次に、図９および図１０を参照して、ベース部２２４およびベース部２２４に取り付けられる板ばね２７０について詳細に説明する。図９はベース部２２４を示し、図９（ａ）は、ベース部２２４の平面図、図９（ｂ）は正面図、図９（ｃ）は側面図である。図１０は、板ばね２７０を示し、図１０（ａ）は、板ばね２７０の正面図、図１０（ｂ）は側面図である。なお、側面、正面とは各図において、説明の便宜上いうものとする。ベース部２２４は、矩形の基底板２４８と、この基底板２４８の両端縁に折曲げにより突設されたタブ(板部)２５０と、一側縁の両端に立設された係止壁２８０とを有する。
【００４５】
基底板２４８の略中央２箇所には、ランプ１００の主面６に取付具２０４をねじ止めするためのねじ孔２４８ａが形成されている。各タブ２５０には軸孔２５０ａが穿設されている。また、各係止壁２８０には、板ばね２７０を係止するための、上下に２つの矩形の係止口２８０ａが形成されている。この係止口２８０ａに係止される板ばね２７０は、係止孔２８０ａの横幅より狭幅の弾性を有する金属製の板状部材である。板ばね２７０は、図１０に示すように、中央で対称的にＶ字状に折り曲げて形成され、中央部は凸部２７０ｂとなる。この板ばね２７０の両側の端部２７０ａが係止口２８０ａに係入されて、板ばね２７０がベース部２２４に取り付けられる。このときの板ばね２７０の状態を図９（ｂ）に仮想線で示す。
【００４６】
取付板２３２をベース部２２４に取り付けるには、各タブ２４０を対応するタブ２５０の内側に位置させ、タブ２４０の軸孔２４０ａ、タブ２５０の軸孔２５０ａおよびギア２６０の軸孔２６０ｃ同士を互いに位置合わせさせて軸２８２を挿通する。これによりソケット部２２２とベース部２２４が一体となって取付具２０４が構成される。なお、タブ２４０、２５０を回動部という。このとき、ギア２６０の歯２６４と、板ばね２７０の中央の凸部２７０ｂ（図１０）が係合する。なお、ギア２６０と板ばね２７０を凹凸係合部という。このときの状態を図１１に示す。図１１は、ベース部２２４と、取付板２３２のギア２６０との係合状態を示す要部説明図である。なお、図１１では、ソケット部２２２側の部品はギア２６０のみ示し、他は省略している。図１１(ａ)は歯２６４と板ばね２７０が互いに係合した状態を示し、図１１(ｂ)はギア２６０が回動する際に、板ばね２７０の凸部２７０ｂが歯２６４の先端２６４ａにより押圧されて、板ばね２７０が変形した状態を示す。図１１（ａ）では、ギア２６０は安定的に保持されて、ソケット部２２２の回動位置が位置決めされた状態である。ソケット部２２２を回動させると、ギア２６０の回動に応じて板ばね２７０は、変形と元の形状への復帰を繰り返して、所望の角度位置で停止できるようになっている。
【００４７】
次に、図１２および図１３を参照して、取付具２０４を照明器具２００の本体２０２に取り付けた状態について説明する。図１２は、ランプ１００を保持した取付具２０４が本体２０２から突出した状態を示し、図１３は、取付具２０４のソケット部２２２が本体２０２の凹所２２０内に位置した倒立状態を示す。なお、図１２、図１３は、各部品を透視的に示している。本体２０２は、第１の実施形態の本体２と同様な形状であるので、詳細な説明は省略する。取付具２０４は、ギア２６０を凹所２２０側にして取り付けられる。このようにすることにより、回動時に取付板２３２が本体２０２の主面２０６と干渉することが防止される。取付具２０４は、図１３に示す０°から図１２に示す９０°までの範囲で回動する。このとき、係止壁２８０の先端２８０ｂが、取付板２３２の下面２３３に当接して９０°を超える回動が阻止される。図１３に示すように、ソケット部２２２が０°の時、ホルダー部２２８を含むソケット部２２２は、照明器具２００の反射面２１２の高さより概ね低い場所に位置する。これにより、照明器具２００は、第１の実施形態の照明器具１と同様の効果を奏することができる。
【００４８】
以上、本発明の実施形態について説明したが、上記実施形態に限定されるものではなく、種々の変形、変更が可能であることはいうまでもない。例えば、図１４に示す変形例では、圧縮コイルばね３８４を用いたが、引っ張りコイルばねや板ばね等、取付板３３２を付勢するための種々の弾性付勢手段が適宜構成と組み合わせて使用可能であることはいうまでもない。
【００４９】
また、取付具４の回動角度は、０°から９０°に限定されるものではなく、停止板５２を排除し、また、突起４０ｂと位置決め孔５０ｂの数を増加することにより、９０°を超える角度、例えば１８０°まで回動させるようにすることも可能である。この場合は、一層配光の設定の自由度が増大する。但し、角度を９０°を越えて回動させる場合は、取付板３２、２３２、３３２が、照明器具１の主面６と干渉しないように、取付板３２、２３２、３３２の寸法を小さくしたり、停止板５２、３５２を除去したりすることが必要になる場合もある。
【図面の簡単な説明】
【００５０】
【図１】本発明の照明器具の第１の実施形態を示す斜視図である。
【図２】図１の照明器具に使用される取付具の全体を示す斜視図である。
【図３】取付具の部品の位置関係を示す斜視図である。
【図４】図１の照明器具のランプを垂直位置から３０°傾斜させた状態を示す斜視図である。
【図５】ランプを照明器具の凹所内に収容した状態を示す斜視図である。
【図６】本発明の第２の実施形態の照明器具に使用されるランプと、ソケット部と、ソケット部が取り付けられるベース部を示す。
【図７】本発明の第２の実施形態の照明器具に使用される取付板を示し、（ａ）は平面図、（ｂ）は正面図、（ｃ）は側面図をそれぞれ示す。
【図８】本発明の第２の実施形態の照明器具に使用されるギアを示し、ａ）は正面図、（ｂ）は側面図をそれぞれ示す。
【図９】本発明の第２の実施形態の照明器具に使用されるベース部を示し、（ａ）は平面図、（ｂ）は正面図、（ｃ）は側面図である。
【図１０】本発明の第２の実施形態の照明器具に使用される板ばねを示し、（ａ）は正面図、（ｂ）は側面図である。
【図１１】ベース部と、取付板のギアとの係合状態を示す本発明の第２の実施形態の要部説明図である。
【図１２】本発明の第２の実施形態の照明器具の、ランプを保持した取付具が照明器具本体から突出した状態を示す斜視図である。
【図１３】本発明の第２の実施形態の照明器具の取付具が、照明器具本体の凹所内に位置した状態を示す斜視図である。
【図１４】本発明の第１の実施形態の変形例を示し、（ａ）は、通常の使用状態の、取付板とベース部の関係を示す正面図、（ｂ）はその側面図、（ｃ）は、取付板を回動させる際に取付板を矢印方向に移動させた状態の正面図である。
【符号の説明】
【００５１】
１、２００    照明器具
２、２０２    照明器具本体
４、２０４    取付具
２０、２２０    凹所
２２、２２２    ソケット部
２４、２２４、３２４    ベース部
４０、５０、２４０、２５０、３４０、３５０    回動部
４０ｂ、３４０ｂ    突起(凹凸係合部)
５０ｂ、３５０ｂ    係合穴(凹凸係合部)
１００    ランプ
１０４    ピン(端子)
２６０    ギア（凹凸係合部）
２７０    板ばね(凹凸係合部)
【図１】
0005158936.tif 000002
【図２】
0005158936.tif 000003
【図３】
0005158936.tif 000004
【図４】
0005158936.tif 000005
【図５】
0005158936.tif 000006
【図６】
0005158936.tif 000007
【図７】
0005158936.tif 000008
【図８】
0005158936.tif 000009
【図９】
0005158936.tif 000010
【図１０】
0005158936.tif 000011
【図１１】
0005158936.tif 000012
【図１２】
0005158936.tif 000013
【図１３】
0005158936.tif 000014
【図１４】
0005158936.tif 000015